(57)【要約】【課題】雰囲気に合致するように照明効果と芳香効果とを組み合わせること。【解決手段】照明効果（１１５）をユーザーが制御すること（１１１）に基づき、一体化された照明芳香システムがアロマ効果（１２５）を自動的に制御（１５０）するようになっている。このシステムは、照明と芳香との相関性（１６５）の１つ以上の組を受け入れ、選択された照明効果（１５１、１５２）からの好ましいアロマ効果（１６１、１６２）をこの相関性に基づき、決定する。オプションとして、エキスパートの雰囲気デザイナーの技術を使用する第三者の小売業者（３１０）によって照明と芳香との相関性のこれら組（１６５）を提供してもよい。別の実施形態では、システムは芳香効果（１２５）をユーザーが制御すること（１２１）に基づき、照明効果（１１５）を制御するためにこれら組の照明と芳香との相関性（１６５）も使用できる。これら実施形態の各々では、ユーザーは単に希望する第１効果（１１５、１２５）を制御する（１１１、１２１）だけであり、第１効果（１１５、１２５）を高めるために、適当な第２効果（１２５、１１５）が創出される。【選択図】図１Ａ
2008524795.tif 000002
【特許請求の範囲】
【請求項１】
第１制御（１１１、１２１）に基づき、第１の雰囲気効果（１１５、１２５）を提供する第１サブシステム（１１０、１２０）と、
第２制御（１６１、１６２）に基づき、第２の雰囲気効果（１１５、１２５）を提供する第２サブシステム（１１０、１２０）と、
前記第１の雰囲気効果（１１５、１２５）と、前記第２の雰囲気効果（１１５、１２５）との間の所定の相関性（１６５）に基づき、ユーザーが前記第１制御（１１１、１２１）をセットすると共に、これから第２制御（１６１、１６２）を決定できるようにするようになっているコントローラ（１５０）とを備えたシステム。
【請求項２】
前記第１サブシステム（１１０、１２０）が、照明システム（１１０）であり、
前記第１サブシステム（１１０、１２０）が、芳香システム（１２０）である、請求項１記載のシステム。
【請求項３】
前記第１サブシステム（１１０、１２０）が、芳香システム（１２０）であり、
前記第１サブシステム（１１０、１２０）が、照明システム（１１０）である、請求項１記載のシステム。
【請求項４】
前記システムの外部にあるソース（３１０）から所定の相関性（１６５）を受信するようになっているデバイス（３６０）を更に含む、請求項１記載のシステム。
【請求項５】
前記第１制御（１１１、１２１）に対応する入力（１５１、１５２）を前記コントローラ（１５０）から受信すると共に、前記第２制御に対応する出力（１６１、１６２）を前記コントローラ（１５０）に提供するようになっている、前記コントローラ（１５０）に作動的に結合された相関デバイス（１６０）を更に含む、請求項１記載のシステム。
【請求項６】
前記相関デバイス（１６０）が、
規則に基づくエンジンと、
ニューラルネットワークと、
相関マトリックスのうちの少なくとも１つを含む、請求項５記載のシステム。
【請求項７】
雰囲気の経験的な試行に基づき、前記相関デバイス（１６０）にプログラムを組み込むようになっているトレーニングモジュール（２５０）を更に含む、請求項６記載のシステム。
【請求項８】
前記ユーザーが、前記第１制御（１１１、１２１）をセットできるようにする多次元ユーザー制御（１１１、１２１）を更に含む、請求項１記載のシステム。
【請求項９】
雰囲気システム（１１０、１２０）を制御する方法において、
他の雰囲気システム（１１０、１２０）の制御（１１１、１２１）を決定するステップと、
他の雰囲気システム（１１０、１２０）の制御（１１１、１２１）と前記雰囲気システム（１１０、１２０）の対応する制御（１６１、１６２）との間の相関性（１６５）に基づき、前記雰囲気システム（１１０、１２０）のための対応する制御（１６１、１６２）を決定するステップと、
前記対応する制御（１６１、１６２）を前記雰囲気システム（１１０、１２０）に適用するステップとを備えた、雰囲気システム（１１０、１２０）を制御する方法。
【請求項１０】
前記他方の雰囲気システム（１１０）の制御（１１１）を決定するステップが、照明パラメータを決定することを含み、
前記対応する制御（１６１）を適用するステップが、芳香パラメータを適用することを含む、請求項９記載の方法。
【請求項１１】
前記他方の雰囲気システム（１２０）の制御（１２１）を決定するステップが、芳香パラメータを決定することを含み、
前記対応する制御（１６２）を適用するステップが、照明パラメータを適用することを含む、請求項９記載の方法。
【請求項１２】
外部ソース（３１０）から相関性（１６５）を受信することを更に含む、請求項９記載の方法。
【請求項１３】
相関性（１６５）を決定すること更に含む、請求項９記載の方法。
【請求項１４】
前記雰囲気システム（１１０、１２０）のための対応する制御（１６１、１６２）を決定するステップが、
前記他の雰囲気システム（１１０、１２０）の前記制御（１１１、１２１）に対応するパラメータを相関デバイス（１６０）に適用することと、
前記雰囲気システム（１１０、１２０）のための前記対応する制御（１６１、１６２）に対応する出力を前記相関デバイス（１６０）から受信することを含む、請求項９記載の方法。
【請求項１５】
雰囲気の経験的なテストに基づき、前記相関デバイス（１６０）をトレーニングすること（２５０）を更に含む、請求項１４記載の方法。
【請求項１６】
第１雰囲気サブシステム（１１０、１２０）の制御と第２雰囲気サブシステム（１１０、１２０）の制御とを関連付ける相関データ（１６５）のためのリクエストを受信するステップと、
前記第１雰囲気サブシステム（１１０、１２０）のユーザー制御に基づき、前記第２雰囲気サブシステム（１１０、１２０）を制御するようになっている制御システム（１５０）とコンパーチブルな形態で、前記相関データ（１６５）を提供するステップとを含む、多数の雰囲気システムの制御を容易にする方法。
【請求項１７】
前記相関データ（１６５）が、照明サブシステム（１１０）の制御と芳香サブシステム（１２０）の制御とを関連付ける、請求項１６記載の方法。
【請求項１８】
前記相関データ（１６５）が、
一組の規則と、
一組のニューラルネットワークノードの重みと、
値のマトリックスのうちの少なくとも１つに対応する、請求項１６記載の方法。
【請求項１９】
前記相関データ（１６５）を提供するステップが、インターネット接続（３２０）を介し、前記相関データ（１６５）を送信することを含む、請求項１６記載の方法。
【請求項２０】
第１雰囲気サブシステム（１１０、１２０）の制御と第２雰囲気サブシステム（１１０、１２０）の制御とを関連付ける相関データ（１６５）のためのリクエストを受信するようになっている受信機と、
前記第１雰囲気サブシステム（１１０、１２０）のユーザー制御に基づき、前記第２雰囲気サブシステム（１１０、１２０）を制御するようになっている制御システム（１５０）とコンパーチブルな形態で、前記相関データ（１６５）を提供する送信機とを備えたサーバー。
【請求項２１】
前記相関データ（１６５）が、照明サブシステム（１１０）の制御と、芳香サブシステム（１２０）の制御とを関連付ける、請求項２０記載のサーバー。
【請求項２２】
前記相関データ（１６５）が、
一組の規則と、
一組のニューラルネットワークノードの重みと、
値のマトリックスのうちの少なくとも１つに対応する、請求項２０記載のサーバー。
【請求項２３】
前記受信機および送信機が、インターネット接続（３２０）を介し、前記相関データ（１６５）を送受信するようになっている、請求項２０記載のサーバー。
【請求項２４】
雰囲気システム（１１０、１２０）を制御するための制御システムにおいて、
他の雰囲気システム（１１０、１２０）の制御（１１１、１２１）を決定するようになっているコントローラ（１５０）と、
前記他の雰囲気システム（１１０、１２０）の制御に対応する情報（１６１、１６２）を前記コントローラ（１５０）から受信するようになっていると共に、相関デバイス（１６０）からの前記雰囲気システム（１１０、１２０）の制御に関連する対応する情報（１６１、１６２）を決定するようになっている、作動的に前記コントローラ（１５０）に結合された相関デバイス（１６０）とを備え、
前記コントローラ（１５０）は更に前記相関デバイス（１６０）からの対応する情報（１６１、１６２）に基づき、対応する制御を前記雰囲気システム（１１０、１２０）に適用するようになっている制御システム。
【請求項２５】
前記相関デバイス（１６０）が、前記他の雰囲気システム（１１０、１２０）の制御によって生じた効果と、前記雰囲気システム（１１０、１２０）の対応する制御によって生じた効果との間の相関性（１６５）に基づき、対応する情報（１６１、１６２）を決定する、請求項２４記載の制御システム。
【請求項２６】
前記相関性（１６５）が、照明効果と芳香効果との間の相関性（１６５）に対応する、請求項２５記載の制御システム。
【請求項２７】
前記相関デバイス（１６０）が、外部ソースからの相関性（１６５）を受信するようになっている、請求項２５記載の制御システム。
【請求項２８】
前記相関デバイス（１６０）が、トレーニング可能なデバイス（２５０）に対応する、請求項２４記載の制御システム。
【発明の詳細な説明】
【技術分野】
【０００１】
本発明は、照明システムの技術分野に関し、特に芳香の分配、またはアロマ拡散システムと一体化された照明システムに関する。
【背景技術】
【０００２】
環境の照明は、環境に関連した雰囲気に大きな影響を与える。読書しやすい環境は、一般に明るく照明され、ロマンスを伝えやすい環境は一般に薄暗く照明される、等である。輝度レベルの他に、色度コンテントも環境の雰囲気に影響する。黄色または赤色の淡い光は一般に青い淡い光よりも暖かいと考えられている。同様に、光の飽和度（白色コンテント）および他のパラメータ、例えば光の分散度も雰囲気に影響する。
【０００３】
２００２年６月１３日に「照明システムを制御するシステムおよび方法」を発明の名称として出願された、米国公開特許出願第2003/0057887号は、マルチライトシステムを開示しており、ここで、各ライトまたはライトの組のカラーおよび強度が無線通信を介して中央コントローラから制御されるようになっており、本明細書では、この米国特許出願を参考例として援用する。各ライトまたはライトの組に対する制御パラメータを選択し、割り当てるために、制御される環境のグラフィック表示を使用することが好ましい。これらパラメータはファイル内に記憶され、希望するときに再生（すなわちファイルから読み出し、ライトへ転送）される。再生はユーザーによって直接開始したり、所定のスケジュールに従って生じるようにプログラムできる。
【０００４】
同様に、アロマ（香り）も環境に関係する雰囲気に大きな影響を与え得る。ユーカリまたはペパーミントのような匂いは、活動的または元気づける雰囲気にするが、一方、カモミールおよびセージは、よりリラックスさせる雰囲気にする。
【０００５】
一般に、所望する効果を誘導するために、統一性のある雰囲気を提供するよう、照明とアロマの選択をコーディネートする。例えばオランダのクルハウスホテルはリザルトルームを提供しており、ここでは特定の会議目的に合った環境を提供するように、ミーティングルームの照明とアロマが調整されている。例えば交渉の会議が計画されている場合、部屋の色は青色にセットされ、部屋全体にカモミールとラベンダーとセージのアロマ混合物が拡散される。判断を行う会議が計画されている場合、部屋の色は赤色にセットされ、レモンとローズマリーと杉のアロマ混合物が提供される。アイデアを生み出す会議が計画されている場合、部屋の色は黄色にセットされ、ベルガモット、オレンジおよびローズウッドのアロマ混合物が提供される。ユーザーが定めた照明およびアロマ効果を含む、色とアロマの他の組み合わせも利用可能である。
【０００６】
２００３年５月１３日に「芳香と光と音のコーディネートされた放出」を発明の名称として出願され、２００３年１０月２７日にWO03/0989710号として公開された、国際特許協力条約に基づく特許出願PCT/US03/14769号は、特定の光、芳香および音響効果のコーディネートされたプログラミングを可能にするようになっているコンピュータシステムを開示している。このプログラムは、コンピュータに組み込んでもよいし、またはユーザーがこのプログラムを提供してもよい。ユーザーは、光、芳香および音響効果のプログラムされた組み合わせの１つ以上を実行する時間を選択する。
【０００７】
所望する雰囲気を得るために、ユーザーは予め定められた一組の効果から選択するか、または照明とアロマ効果の特定の組み合わせを定めなければならない。ユーザーが単に自分のリビングルームに入るときのような多くの状況では、ユーザーは特定の効果を望むことを意識的に知っていなかったり、雰囲気効果のメニューから選択する作業を開始するのに興味がなかったりすることがあるので、照明とアロマの楽しい組み合わせを得る作業はユーザーが活動的に追求する作業ではない。その他の状況では、ユーザーは所望する効果を得ようと試みるが、雰囲気デザイナーの技能に欠けていることにより、光の照明効果とアロマ効果の極めて不調和な組み合わせを生じさせ得る。他の状況では、ユーザーは所定の雰囲気を選択できるが、その後しばらくすると、その効果は自分が求めているものと同じではないことに気づくが、システムを再プログラムする作業および／または所定の効果のメニューから選択する作業は、わざわざ自分でしたいことではない。同様に、所定の効果が特定のユーザーに対して適当でない場合もあり得る。例えばユーザーがロマンチックな効果を選択した場合、特定のユーザーの環境に対して照明が暗すぎたり、逆に明るすぎたりすることもあり得る。ほとんどのシステムは、かかる状況において、ユーザーはプログラムされた制御を無効にできるが、ユーザーが一旦、かかる変更を行うと、恐らくエキスパートが設計した所定の効果を使用する利点が減少してしまう。
【０００８】
本発明の目的は、使用が容易なユーザーインターフェースを提供する一体化された照明芳香システムを提供することにある。本発明の別の目的は、ユーザー制御の範囲にわたって照明と芳香効果のエキスパートに基づくコーディネートを提供する一体化された照明芳香システムを提供することにある。本発明の別の目的は、エキスパートに基づく雰囲気効果の開発を促進する一体化された照明芳香システムを提供することにある。
【０００９】
照明効果をユーザーが制御することに基づき、一体化された照明芳香システムがアロマ効果を自動的に制御するようになっている。このシステムは、照明と芳香との相関性の１つ以上の組を受け入れ、選択された照明効果からの好ましいアロマ効果をこの相関性に基づき、決定する。オプションとして、エキスパートの雰囲気デザイナーの技術を使用する第三者の小売業者によって照明と芳香との相関性のこれら組を提供してもよい。別の実施形態では、システムは芳香効果をユーザーが制御することに基づき、照明効果を制御するためにこれら組の照明と芳香との相関性も使用できる。これら実施形態の各々では、ユーザーは単に希望する第１効果を制御するだけであり、第１効果を高めるために、適当な第２効果が創出される。
【００１０】
以下、添付図面を参照し、例示により本発明をより詳細に説明する。
【発明を実施するための最良の形態】
【００１１】
図面全体にわたり、同一参照番号は同一要素または実質的に同一の機能を実行する要素を示す。図面は単に発明を説明するためのものであり、発明の範囲を限定するものではない。
【００１２】
図１Ａは、本発明に係わる一体的な照明芳香システムのブロック図である。この実施形態は、照明システム１１０と、芳香システム１２０と、これらシステム１１０、１２０の制御をコーディネートするコントローラ１５０とを含む。
【００１３】
照明システム１１０は、１つ以上のライト１１５を制御するようになっている制御デバイス１１１を備える。本発明の好ましい実施形態では、制御デバイス１１１はライト１１５の強度／輝度だけなく、ライト１１５の雰囲気に影響を与える特性、例えばカラー／色度、純度、飽和度などを照明システム１１０の制御により制御できるようにしている。エルモ・ディードリックス、マルティン・サントベルゲンおよびジェラルド・ホルマンを発明者とし、      年    月    日に「照明パラメータの多次元制御」を発明の名称として出願された、継続中の米国特許出願第        号（代理人整理番号第      号（ID697711））（本明細書でこの特許出願願を参考例として援用する）は、多次元デバイス、例えばユーザーが容易に多数の照明パラメータを制御できるようにしており、特に本発明の実施形態で使用するのに適した三次元トラックボールを教示している。
【００１４】
芳香システム１２０も同じように、１つ以上の芳香ディスペンサー１２５を制御するようになっている制御デバイス１２１を備える。本発明の好ましい実施形態では、制御デバイス１２１は芳香の強度だけでなく、特定の匂い、持続する特性なども制御するようになっている。
【００１５】
コントローラ１５０は、他のシステム１２０、１１０のユーザーによる制御に基づき、システム１１０、１２０のうちの１つを制御することにより、照明システム１１０と芳香システム１２０の動作を統合し、簡略化するようになっている。このように、例えばユーザーは所望する雰囲気のために照明システム１１０を調整するだけでよく、所望する効果を補強するために、コーディネートされた芳香が自動的に提供される。本発明の好ましい実施形態では、多数の匂いが分配されることを避けるために、照明システムに対する変更が進行中でないと判断された後にしか、芳香システム１２０の制御を実施しない。
【００１６】
相関デバイス１６０は、好ましくはインテリア、環境デザインのエキスパートにより開発された相関性１６５に基づき、コーディネートされた照明効果と芳香効果の判断を容易にするようになっている。例えば緑色の色相を有する薄暗い光または平均光と、カモミールとラベンダーとセージとの混合物を相関化することができ、匂いの強度は光の強度および／または飽和レベルと逆比例し、青色の色相が紫色などになるにつれ、ラベンダーの混合物が増加するようになっている。同じように、赤色ヒューを有する薄暗い光と軽いローズの匂いとを相関化させることができ、明るい白色光とパインの極めて軽い匂いを相関化させてもよいし、全く匂いと相関化させなくてもよい。基本的な組の相関性は一体化された照明システムと芳香システムのメーカーによって提供でき、更に後述するように、追加される相関性を第三者の小売業者から入手できるようにすることができる。
【００１７】
好ましくは、コントローラ１５０は、種々の照明システム１１０と芳香システム１２０とをコンパーチブルにでき、照明（光）と芳香特性に関する相関化デバイス１６０からの情報を特定システム１１０、１２０のための制御パラメータに変換し、所望する効果を生じるようになっている。これとは異なり、システム１１０、１２０と、コントローラ１５０とが単一の制御システムとして一体化されている場合、相関化デバイス１６０はシステム１１０、１２０のうちの１つを制御するために使用される実際の制御パラメータを入力として受信すると共に、他のシステム１１０、１２０を制御するために使用される実際の制御パラメータを出力として提供するようにできる。
システムとデバイス１１０〜１６０の間の相互作用を構築するためのこれらおよびその他の技術は、本明細書に記載する技術の当業者には明らかとなろう。
【００１８】
図１Ｂは、一体化された照明芳香システムの使用を示すフローチャートの一例を示す。ユーザーは、制御デバイス１１１を使って照明システム１１０を介し、ライトの特性を調整する。コントローラ１５０は、好ましくは照明システム１１０の作動または制御デバイス１１１の作動をモニタすることにより、照明特性のこの変化を検出する。システム１１０またはデバイス１１１の直接モニタを使用しない場合、ライト１１５が影響を与える領域内で、例えばライトおよびカラーセンサを使用することにより、または影響を受ける領域の画像をコントローラ１５０に提供するカメラを介し、適用される制御の作用を検出するようにコントローラ１５０を構成できる。
【００１９】
照明特性の変化に基づき、コントローラ１５０は判断された照明制御に対応する情報１５１を相関デバイス１６０に提供すると共に、この照明制御に対応する好ましい芳香に対応する情報１６１を相関デバイス１６０から受信する。コントローラ１５０は、好ましい芳香に対応する情報に基づき、芳香システム１２０に対する制御を実行し、芳香ディスペンサー１２５を介し、好ましい芳香の分配を行う。
【００２０】
図１Ｂのフロー図は、システムの予想される代表的な使用法に対応している。その理由は、ほとんどのユーザーは、環境における照明効果を調整し、システムがコーディネートされた芳香を自動的の決定できるので快適となると推定されるからである。しかしながら、本発明のオプションの実施形態では、環境内の芳香効果をユーザーが調節できるようにすると共に、図１Ｃに示されるように、選択された芳香に対応するよう、照明特性を自動的に調整できるようにもシステムを構成できる。
【００２１】
図１Ｃでは、ユーザーは制御デバイス１２１を介し、芳香システム１２０を制御する。コントローラ１５０は芳香制御の変化を検出し、選択された芳香に対応する情報１５２を相関デバイス１６０に提供する。この別個の実施形態では、相関デバイス１６０は選択された芳香に対応する照明特性に関する情報１６２を提供する。コントローラ１５０はこの情報を受信し、照明システム１１０を制御し、ライト１１５における所望する照明効果を提供する。
【００２２】
上記のように、照明デバイス１６０はインテリア／環境デザインの分野におけるエキスパートが決定した相関性に基づき、対応する照明特性と芳香特性を決定することが好ましい。
【００２３】
図２は、本発明に係わる一体化された照明芳香システムにおいて使用するための相関データを作成するためのシステムのブロック図の一例を示す。図２において、１人以上のエキスパート２００は、制御入力１１１、１２１の種々の組み合わせによって、照明システム１１０および芳香システム１２０に対して生じる照明と芳香効果の組み合わせに関するトレーニングエンジンへ、フィードバック１１０を提供する。
【００２４】
フィードバック２１０に基づき、一組の相関データ１６５を提供するのに、当業者にとって一般的な種々の技術のうちのいずれかを使用できる。本発明のストレートフォワードな実施形態では、図１Ａの相関デバイス１６０はニューラルネットワークまたは他のトレーニング可能な構造を含み、トレーニングエンジン２５０はトレーニングモードにセットされた相関デバイス１６０のコピーを含む。各制御１１１、１２１はセットされているので、エキスパート２００は、ライト１１５およびディスペンサー１２５が発生する光と芳香の組み合わせの適性に基づき、相関スコア２１０を提供する。トレーニングモードでは、トレーニングエンジン２５０のニューラルネットワークが、ネットワーク内の一組のノードの重みに基づき、制御装置１１１と１２１との間の決定された相関性を提供する。完全にトレーニングされたシステムでは、ニューラルネットワークによって決定された相関性は、エキスパートが決定した相関スコア２１０と一致することになる。トレーニングモードにおいて、差が存在するとき、相関スコア２１０により近い決定された相関性を提供するよう、ノードの重みを調整するのに相関スコア２１０が使用される。トレーニングが完了すると、合成されたノードの重みをエキスパートの相関データ１６５として記憶する。
【００２５】
図１Ａの相関デバイス１６０へ相関データ１６５が提供されるとき、相関デバイス１６０内のニューラルネットワーク内に、相関データ１６５内のノードの重みがロードされる。このように、完全にトレーニングされたシステムでは、ユーザーのシステムにおける相関デバイス１６０が、所定の照明効果と芳香効果の相関性の、図２のエキスパート２０と同じ尺度を提供する。一実施形態では、図１Ａのコントローラ１５０は、芳香システム１２０から利用できる芳香のリストを、相関デバイス１６０に予めロードする。その後、ユーザーが照明システム１１０を調整すると、コントローラ１５０は相関デバイス１６０へ選択された照明効果に関する情報を提供し、相関デバイス１６０は選択された照明効果と相関化できるよう、利用できる芳香の各々を評価し、コントローラ１５０に対して最大の相関スコアを提供した、利用可能な芳香を識別する。
【００２６】
別の実施形態では、相関デバイス１６０は、規則に基づくシステムとすることができ、相関データ１６５は１つ以上のエキスパートが開発した規則の組み合わせである。かかる実施形態では、図２のトレーニングエンジン２５０は、エキスパートデータ１６５を形成する一組の規則となるように、ユーザーフィードバック２１０を変換する規則発生器を含むことができる。これとは異なり、フィードバック２１０を規則の明示的な組とすることができ、トレーニングエンジン２５０は単に明示的な規則の入力を容易にするインターフェースである。例えばエキスパート２００は。「ヒューが赤色の場合、芳香はバラの香りを含まなければならない」または「照明レベルが高い場合、匂い強度を低くすべきである」または「照明レベルが低い場合、オレンジの匂いを使用すべきでない」などのステートを明示することができる。規則発生実施形態では、トレーニングエンジン２５０はエキスパートのフィードバック２１０に基づき、一組の規則を推定する。例えばエキスパート２００は赤色の色相が存在するとき、バラの匂いを一貫して好むように見える場合、トレーニングエンジン２５０は上記のステート「色相が赤色の場合、芳香がバラの匂いを含まなければならない」という規則を推定できる。代表的な規則に基づくシステムでは、各規則または規則の各グループに重みを適用し、例えば絶対的規則から示唆までの範囲となる規則の重要性を設定することもできる。
【００２７】
この別の実施形態では、相関デバイス１６０は、エキスパートが開発した規則１６５を適用すると共に、各規則の重要性によって重み付けされた所定の規則に各匂いがどれだけ良好に一致するかに基づき、利用できる匂いを選択するようになっている。
【００２８】
より簡単な別の実施形態では、エキスパートデータ１６５は照明効果を芳香効果にマッピングした、単なるマトリックスまたはマトリックスの組とすることができ、トレーニングエンジン２５０はこれらマトリックスを作成するためのインターフェースを提供する。マトリックスが照明効果および芳香効果の順序を提供する場合、補間技術を使ってマトリックスに明示的に含まれない制御設定のために好ましい効果を決定できる。
【００２９】
更に、芳香を定めるための技術が開発されるにつれ、所定の照明効果に基づき、芳香を計算したり、またはその逆に所定の芳香効果に基づき、照明を計算するのに、アルゴリズム技術を使用できる。例えば多次元カラースペース、例えばＲＧＢ（赤−緑−青）カラースペース、またはＨＳＩ（色相、飽和度、強度）カラースペースに光をマッピングすることができる。多次元アロマスペースに対する芳香のマッピングを定める場合、相関デバイス１６０はカラースペース内の座標をアロマスペース内の対応する座標に変化するプロセッサを含むことができる。かかる実施形態では、異なるエキスパートが異なる効果を得るための異なる変換方程式を提供することができ、および／または変換式が、アルゴリズムによって定められた組み合わせに対し、個人的なタッチを提供する、ユーザーが定義可能なパラメータを含むことができる。
【００３０】
当業者が本明細書を検討すれば、照明特性を芳香特性にマッピングしたり、オプションとして芳香特性を照明特性にマッピングする相関データ１６５を作成するための上記およびそれ以外の事実が明らかとなろう。
【００３１】
図３は、本発明に係わる一体的な光と芳香システムで使用するための相関データ１６５を提供するためのシステムのブロック図の一例を示す。インターネットのようなネットワーク３２０は、ユーザーシステム３３０とサーバー３１０とをリンクし、サーバー３１０は、好ましくはインテリア／環境設計の技術分野のエキスパートが開発した、１つ以上の組の相関データ１６５にアクセスする。サーバー３１０は、本発明の一体化された照明芳香システムの小売業者、または別の当事者によって提供できる。相関データ１６５を供給することは、商業的なベンチャービジネスとすることができる。ここではユーザーが各コピーに対して料金を支払ったり、または一体的な光と芳香システムまたは他の製品、例えば特定の照明デバイス、芳香ディスペンサー、またはシステム内で使用するための芳香の購入を奨励するために、相関データ１６０を無料で提供するようにできる。
【００３２】
図４は、本発明に係わる一体化された照明と芳香システムのフローチャートの一例を示す。このシステムは、連続的なループとして示されているが、当業者であれば、間欠駆動される実施形態も使用できることが理解できよう。
【００３３】
変化が生じたかどうかを見るために、４１０にて第１制御装置をチェックする。変化が生じている場合、４２０にてアラームをセットし、このアラームに関連するタイマーをリセットする。図示されていないが、システムが他方の制御装置に基づき、照明制御または芳香制御のいずれかを行う場合、検出された各制御変化に対して異なるアラームとタイマーを使用することもできる。一体化されたシステムが照明システムと芳香システムの単独コントローラになるようになっている場合、この一体化されたシステムは、検出された制御変化に基づき、４３０にて対応するシステムの制御を実行する。他方、図１Ａのシステム１１０、１２０が制御デバイス１１１、１２１からの入力に基づき、関連したデバイス１１５、１２５を自動制御する場合、ブロック４３０を省略できる。システムは４１０へループバックし、制御変化のモニタを続ける。
【００３４】
４１０にて制御変化が検出されない場合、アラームがペンディング中であるかどうかを、システムは４４０にて判断する。アラームがペンディング中でない場合、システムは４１０へループバックする。アラームがペンディング中であれば、タイマーがリセットされてから所定の時間が終了したかどうかを４５０で判断する。所定時間を経過していない場合、システムは４１０へループバックする。このような所定の時間の間のルーピングを行うことにより、第１システムがまだユーザーによって調整中である間、第２システムが自動的に制御されないように保証できる。この所定の遅延時間は一般にシステム１１０、１２０の各々に対して異なるようにセットされる。その理由は、ライトを早期に調節すると、各効果の持続性が異なることに起因し、匂いを早期に分配したときよりも結果が小さくなり易いからである。
【００３５】
最後に、タイマーがリセットされてから４５０にて所定の遅延時間が経過した場合、第１システムの制御の検出された変化に基づき、第２システムのためのコーディネートされた制御が４６０にて決定され、４７０にて第２システムに対して実施される。４８０にてアラームがクリアされ、システムは４１０へループバックし、制御変化に対するモニタを続ける。
【００３６】
図には明らかに示されていないが、好ましい実施形態ではユーザーにより自動制御１５０をディスエーブルし、ユーザーにより相関データ１６５を変更できる。同様に、システムのパラメータの各々、例えば照明システムまたは芳香システムの制御を附勢する前の遅延時間をユーザーによって調節できるようにできる。
【００３７】
これまでの説明は単に本発明の原理を示したにすぎない。従って、当業者であれば、本明細書に明示的に記載または示されていないが、本発明の要旨の範囲内で発明の原理を具現化した種々の構造を想到することができよう。例えば他のパラメータ、例えば一日のうちの時間、曜日、特定ユーザーのＩＤなどに基づき、異なる相関データ１６５を使用するように、相関デバイス１６０を構成できる。当業者が本明細書の内容を検討すれば、上記およびそれ以外のシステム構成および最適化の特徴が明らかとなろう。
【００３８】
特許請求の範囲を解釈する際に、次のことを理解すべきである。
ａ）「含む」または「備える」なる用語は、所定の請求項に記載された要素または動作以外の他の要素または動作が存在することを排除しない。
ｂ）要素の前につける用語「ある」または「１つの」は、かかる要素が複数存在することを排除するものではない。
ｃ）請求項内に記載した参照符号は発明の範囲を制限するものではない。
ｄ）いくつかの「手段」なる用語は、同一アイテムまたはハードウェアもしくはソフトウェアで実現される構造または機能によって表示できる。
ｅ）明細書に記載した要素の各々は、（例えばディスクリートな回路および集積かされた電子回路を含む）ハードウェア部分、ソフトウェア部分（例えばコンピュータプログラム）およびそれらの組み合わせから構成できる。
ｆ）ハードウェア部分は、アナログ部分とデジタル部分の一方または双方から構成できる。
ｇ）開示されたデバイスまたはデバイスの一部のいずれかは特に明記しない限り、共に組み合わせたり、別の部分となるように分離できる。
ｈ）特に明記しない限り、特定のシーケンスの動作は必要とされない。
ｉ）「複数の」要素なる用語は、請求された要素のうちの１つ以上を含み、特定の範囲の数の要素を意味するものではない。すなわち複数の要素とは、２つ程度の少数の要素とすることができる。
【図面の簡単な説明】
【００３９】
【図１Ａ】本発明に係わる一体化された照明芳香システムのブロックおよびフロー図の例を示す。
【図１Ｂ】本発明に係わる一体化された照明芳香システムのブロックおよびフロー図の例を示す。
【図１Ｃ】本発明に係わる一体化された照明芳香システムのブロックおよびフロー図の例を示す。
【図２】本発明に係わる一体化された照明芳香システムで使用するための、相関データを作成するためのシステムのブロック図の例を示す。
【図３】本発明に係わる一体化された照明芳香システムで使用するための相関データを提供するためのシステムのブロック図の一例を示す。
【図４】本発明に係わる一体化された照明芳香システムのフロー図の一例を示す。
【符号の説明】
【００４０】
１１０  照明システム
１１１  制御デバイス
１１５  ライト
１２０  芳香システム
１５０  コントローラ
１６０  相関デバイス
【図１Ａ】
2008524795.tif 000003
【図１Ｂ】
2008524795.tif 000004
【図１Ｃ】
2008524795.tif 000005
【図２】
2008524795.tif 000006
【図３】
2008524795.tif 000007
【図４】
2008524795.tif 000008
【国際調査報告】
2008524795.tif 000009
2008524795.tif 000010
2008524795.tif 000011
2008524795.tif 000012
2008524795.tif 000013